(57)【要約】      （修正有）【課題】就寝時における位置ずれによる寝冷えの解消に貢献する毛布を提供する。【解決手段】掛け毛布のゴムひも３は、足先端辺６の中央寄りから側辺８の頭部端辺７方向に向かって逆ハの字状に左右の二本を併せて一対設けられ、その足先側３ａは足先端辺６より頭部端辺７の方向に３０ｃｍ程離れたところから、ゴムひも３の側辺側３ｂは側辺８から中央に向って２０ｃｍ程離れたところから、それぞれ縫合されている。足先端辺６は毛布の立毛の流れＡの方向に位置する短辺とする。足入れ毛布は、第一毛布と第二毛布とが折り返し部にて接続される。第一毛布と第二毛布は共に、片面において折り返し部に向かって毛が流れるように接続されている。第二毛布の裏面には、位置ずれ防止用のゴムひもを設ける。【選択図】図１
0003155716.tif 000002
【実用新案登録請求の範囲】
【請求項１】
敷布団の下辺部に掛け止めする掛け止め部材を設け、
立毛の流れを、上辺から足先部に向かって流れるように形成し、
位置ずれへの抵抗力を発生させることを特徴とする位置ずれ防止毛布。
【請求項２】
前記掛け止め部材としてのゴムひもを、略逆ハの字状に、左右一対設け、
前記ゴムひもの各々の両端は、下辺および側辺から一定距離置いて設けたことを特徴とする請求項１に記載の位置ずれ防止毛布。
【請求項３】
第一部分と第二部分とが前記足先部としての折り返し部にて接続され、
片面に前記掛け止め部材を設け、
前記掛け止め部材を設けた面と同じ面において、前記立毛の流れが前記折り返し部に向かって流れるように形成する請求項１に記載の位置ずれ防止毛布。
【請求項４】
前記第一部分を台形に形成し、該台形の短辺にて前記第二部分と接続する請求項３に記載の位置ずれ防止毛布。
【考案の詳細な説明】
【技術分野】
【０００１】
本考案は、位置ずれを防止し、寝冷えしにくい毛布の提供に関するものである。
【背景技術】
【０００２】
就寝中に毛布がずれてしまい、睡眠から目覚めたときには、毛布が所望の位置からずれて寝冷えしてしまうという問題がある。
【０００３】
毛布の位置ずれという問題は、掛け毛布や足入れ毛布において顕著であり、この対策として位置ずれ防止用のゴムひもを用いて敷布団に掛止するようにした製品が市場に提供されている。
【０００４】
毛布、広くは寝具一般の位置ずれ防止のための特許文献、あるいは実用新案登録文献に見られる従来技術としては、布団や毛布の随所にシリコーン又は耐熱性油性合成ゴムよりなるすべり止めを設けた技術が特許文献１に、また、足首から腰まで入る袋を設けた補助寝具が特許文献２に開示されている。
【先行技術文献】
【特許文献】
【０００５】
【特許文献１】特開２００８−３０１９４６号公報
【特許文献２】特開２００３−３８３２５号公報
【考案の概要】
【考案が解決しようとする課題】
【０００６】
掛け毛布の場合にあって、位置ずれ防止用のゴムひもを用いても、使用者が足先から敷布団と掛け毛布の間に滑り込むという構造上、掛け毛布が就寝者の足元に向かって位置ずれすることを規制することは難しい。このため就寝中に少しずつつま先側に位置がずれ、掛け毛布が敷布団から外れてしまうという事態は起こる。
【０００７】
また、袋状に形成された足入れ毛布が、位置ずれ防止用のゴムひもを用いて敷布団に掛止するものであっても、袋状に形成された足入れ毛布の間に足先から滑り込むという構造上、足入れ毛布が就寝者の足元に向かって位置ずれすることを規制することは難しい。このため就寝中に少しずつ足元に向かって位置がずれ、足が毛布に包まれなくなることになりやすい。
【０００８】
このような課題に対して上記公報に掲載される従来技術では、寝具の肌触りの低下や就寝時の拘束感を招いたりするおそれがある。また、洗濯の困難を招いたり、製品の美観や製造コスト等の観点から問題が残ったりする。
【０００９】
そこで本考案は、上記のような弊害を引き起こすことなく、特に従来では難しかった毛布の足先下方向への位置ずれを規制することで、より位置ずれしにくく、寝冷えすることのない掛け毛布および足入れ毛布を提供することを課題とする。
【課題を解決するための手段】
【００１０】
上記の課題に鑑みて、本考案は、敷布団の下辺部に掛け止めする掛け止め部材を設け、立毛の流れを、上辺から足先部に向かって流れるように形成し、位置ずれへの抵抗力を発生させることを特徴とする位置ずれ防止毛布である。
【００１１】
また、本考案は、前記掛け止め部材としてのゴムひもを、略逆ハの字状に、左右一対設け、前記ゴムひもの各々の両端は、下辺および側辺から一定距離置いて設けたことを特徴とする請求項１に記載の位置ずれ防止毛布である。
【００１２】
また、本考案は、第一部分と第二部分とが前記足先部としての折り返し部にて接続され、片面に前記掛け止め部材を設け、前記掛け止め部材を設けた面と同じ面において、前記立毛の流れが前記折り返し部に向かって流れるように形成する請求項１に記載の位置ずれ防止毛布である。
【００１３】
また、本考案は、前記第一部分を台形に形成し、該台形の短辺にて前記第二部分と接続する請求項３に記載の位置ずれ防止毛布である。
【００１４】
本考案における毛布の立毛の流れとは、毛布の製造方法の差異に関わらず、順目および逆目を認識できるような毛の流れをいう。
【００１５】
本考案の位置ずれ防止毛布の使用時において、使用者の頭部が位置する方向を上、足先が位置する方向を下とする。また、以下、使用者の足先が位置する方向の端辺を特に足先端辺とする。位置ずれ防止毛布を第一部分と第二部分との接続により形成する場合は、折り返した際の折り返し部がなす端辺が足先端辺となる。また、仰向けになった使用者の体側が位置する方向の端辺を側辺とする。
【００１６】
本考案において、使用するゴムひもの各々の両端を下辺および側辺から一定距離置いて設ける場合の一定距離とは、毛布のサイズによって適宜調整すべきものである。一例として、一般的な２００×１４０サイズの掛け毛布の場合を挙げると、足先端辺である下辺から２０ｃｍ〜４０ｃｍ、側辺からは１０ｃｍ〜３０ｃｍ程度が好適である。この一定距離とは、敷布団と掛け毛布とのサイズの関係から調整されるべきものである。
【００１７】
なお、当業者に自明な範囲で上記の本考案の構成要件を適宜調整しても構わない。
【考案の効果】
【００１８】
本考案による位置ずれ防止毛布は、上記課題に挙げた、掛け毛布にも足入れ毛布にも適用可能である。
【００１９】
本考案による掛け毛布は、立毛の流れが足先側に向かって流れるようになすことで、掛け布団あるいは敷布団や身体との間の摩擦方向の相違による位置ずれへの抵抗力の相違によって、掛け毛布は下辺から上辺に向かう方向に位置ずれしやすくなり、就寝中の寝返り等の動きによる毛布の下辺方向への位置ずれと相殺し、また、ゴムひもにより毛布の上辺方向への位置ずれを規制する結果、従来よりも毛布が足元に逃げるような位置ずれが起こりにくい掛け毛布となり、寝冷えを防止できる。
【００２０】
ここにおいて、位置ずれ防止用のゴムひもを端辺から距離を持った所定の位置に設けることにより、敷布団と掛止した端において毛布が余るので、暖かい空気が逃げず、より一層効果的に寝冷えを防止することが可能となる。
【００２１】
また本考案による足入れ毛布は、第一部分と第二部分の立毛の流れの方向をともに折り返し部、すなわち使用状態における足先側に向かったものとすることで、敷布団あるいは掛け布団との間の摩擦方向の相違における位置ずれへの抵抗力の相違によって、毛布は下辺から上辺に向かう方向にずれやすくなり、就寝中の寝返り等の動きによる毛布の下辺方向へのずれと相殺し、結果、従来よりも毛布が足元に逃げるような位置ずれが起こりにくい足入れ毛布となり、寝冷えを防止できる。
【００２２】
また本考案によれば、第一部分のみを使用者の頭方向に広がる台形に形成することで、第一部分と第二部分を折り返して袋形状として、使用状態とした際において、長方形に形成された第二部分と比べて長辺となる第一部分の端辺によって、足入れ毛布に足を入れるためのゆとりが生まれ、拘束感なく、より位置ずれしにくくなり、より一層効果的に寝冷えを防止することが可能となる。
【００２３】
本考案は、上記効果を得るにあたって、特別に、肌触りの低下や就寝時の拘束感を招いたりすることなく、洗濯が困難になることなく、製品の美観を損なうことなく、製造コストの増大を招くこともないものである。
【図面の簡単な説明】
【００２４】
【図１】（ａ）は本考案実施例１の掛け毛布１の表面を表す図であり、（ｂ）は同じく裏面を表す図である。
【図２】同実施例１の掛け毛布１の使用状態を表す図である。
【図３】同実施例１の掛け毛布１の使用状態を表す側部からの模式図である。
【図４】本考案実施例２の足入れ毛布１１の裏面を表す図である。
【図５】同実施例２の足入れ毛布１１を袋状に形成した状態の図である。
【図６】同実施例２の足入れ毛布１１の使用状態を表す図である。
【考案を実施するための形態】
【００２５】
本考案における好適な実施の形態について、添付図面を参照して説明する。なお、以下に説明する実施の形態は、実用新案登録請求の範囲に記載された本考案の内容を限定するものではない。
【００２６】
実施例１として、本考案による掛け毛布１について説明する。
【００２７】
図１のように、掛け毛布１は、一般的な毛布に位置ずれ防止用のゴムひもを縫合したものである。この一般的な毛布を以下、毛布本体２とし、位置ずれ防止用のゴムひもを以下、ゴムひも３とする。
【００２８】
図２に示すように、掛け毛布１を敷布団１０に掛止するための構造上、ゴムひも３は下辺方向、すなわち使用者９の足先方向に設けられることとなる。また、ゴムひも３は使用者９に接する面に設けられるものであり、この面を表面とする。
【００２９】
ここで、図１のように、長方形に形成される毛布本体２のうち、ゴムひも３を設ける方向に位置する毛布本体２の下辺を足先端辺６とし、逆側の上辺を頭部端辺７とする。また、これらに垂直な縦長辺を側辺８とする。足先端辺６は、毛布の立毛の流れである矢印Ａの方向の先に位置する短辺とする。
【００３０】
毛布の立毛の流れＡとは、立毛の毛先が示す方向のことである。また、毛布の立毛の流れＡを設ける面は、図１（ｂ）に見られる面であり、この面を裏面とする。
【００３１】
図１のように、ゴムひも３は、足先端辺６の中央寄りから、側辺８の頭部端辺７の方向に向かって、逆ハの字状に左右の二本を併せて一対設けられる。
ゴムひも３の足先側３ａは足先端辺６より頭部端辺７の方向に３０ｃｍ程離れたところから、ゴムひも３の側辺側３ｂは側辺８から中央に向って２０ｃｍ程離れたところから、それぞれ縫合されている。これらの距離は、使用する掛け毛布および敷布団のサイズに合わせて適宜調整するとよい。
【００３２】
以下、実施例１による掛け毛布１の使用について説明する。
【００３３】
図３のように、掛け毛布１は、ゴムひも３を用いて敷布団１０に掛止する。使用者９は掛け毛布１と敷布団１０との間に足先を滑り込ませながら床に就く姿勢をとる。掛け布団１０ａは掛け毛布１の上から使用する。
【００３４】
以下、実施例１による掛け毛布１の効果について説明する。
【００３５】
ゴムひも３を用いて掛け毛布１を敷布団１０に掛止することにより、掛け毛布１は、側辺８の左右の位置ずれ、および頭部端辺７の方向への位置ずれが規制される。また、裏面５の立毛の流れを足先端辺６の方向に揃えるため、掛け毛布１と掛け布団１０ａとの摩擦力によって、足先端辺６の方向への位置ずれに対する抵抗力を有することとなり、相対的に頭部端辺７の方向への位置ずれが恒常的に生じることとなる。これによって、掛け毛布１は、足先端辺６の方向への位置ずれが規制される。
【００３６】
ところで、敷布団に掛止するためのゴムひもを設けた敷毛布は一般的だが、これらは毛布の端辺処理に使うヘムの縫製と同時になされるものであるところ、掛け毛布において同様の構成をとると、敷布団と掛け毛布との間に隙間が生じやすく効果的でない。一般的な掛け毛布のサイズは２００×１４０であり、一般的な敷布団のサイズである２００×１００を上回るためである。
【００３７】
そこで、本考案を用いる実施例１の掛け毛布１は、図２のように、ゴムひも３の足先側３ａを足先端辺６から離して設けたことにより、また、ゴムひも３の側辺側３ｂを側辺８から離して設けたことにより、掛け毛布１を敷布団１０に掛止することが可能となるものである。敷布団１０に掛止した際には、足先端辺６および左右の側辺８において掛け毛布１が余り、掛け毛布１の暖気が逃げにくく、冷たい外気が侵入しにくくなる（図２および図３参照）。
【００３８】
実施例１では、掛け毛布１と掛け布団１０ａとの摩擦を得るために、立毛の流れを裏面５にて整えているが、掛け布団１０ａを用いないことを想定する場合には、立毛の流れを表面にて整え、使用者９及び敷布団１０との摩擦を得ることが考えられる。また、マイヤー毛布等に見られるような、毛布の両面にて立毛の流れ方向を任意に整えられるような場合は、上記によらず、裏表の両面にて立毛の流れ方向を足先端辺６の方向に整えるとより効果的である。
【００３９】
次に実施例２として、本考案による足入れ毛布１１について説明する。
【００４０】
図４のように、足入れ毛布１１は、第一部分である第一毛布１２と第二部分である第二毛布１３とを接続することによって設けられ、この接続部分が折り返し部１４として構成される。第一毛布１２と第二毛布１３との接続は縫合によってなされている。後述するが、足入れ毛布１１を使用する際には袋形状とし、第一毛布１２および第二毛布１３共に折り返し部１４が使用者の足先となる。
【００４１】
第一毛布１２と第二毛布１３は共に、片面において図４におけるＢの方向に、すなわち折り返し部１４に向かって立毛が流れるように接続されている。この立毛の流れを整えた面を裏面とし、反対の面を表面とする。図４に見える面は裏面である。
【００４２】
第二毛布１３の裏面には、位置ずれ防止用のゴムひもを設ける。位置ずれ防止用のゴムひもは、略逆ハの字状に左右の二本を併せて一対である斜めゴムひも１５と、第二毛布１３を横断する横ゴムひも１６の二種類がある。
【００４３】
斜めゴムひも１５の足先側１５ａは、折り返し部１４にて第一毛布１２と第二毛布１３との縫合と同時に縫合される。斜めゴムひも１５の側辺側１５ｂは、第二毛布の側辺１７に縫合される側辺ヘム１７ａと同時に縫合されている。
【００４４】
横ゴムひも１６は、その両端が、第二毛布の側辺ヘム１７ａと同時に縫合されることによって設けられている。
【００４５】
第一毛布１２は台形に形成され、その短辺が折り返し部１４にて第二毛布１３の端辺と同じ長さになされている。また、第一毛布１２の台形の斜辺は左右の側辺１８となり、側辺ヘム１８ａが縫合されている。
【００４６】
第一毛布１２の側辺１８と、第二毛布の側辺１７との内面には、面ファスナーが適宜設けられ、足入れ毛布１１を折り返し部１４にて折った際に面ファスナーによって係止されるようになされている。ここで、面ファスナーとは、いわゆるマジックテープ（登録商標）等と呼ばれるものである。
【００４７】
以下、実施例２による足入れ毛布１１の使用について説明する。
【００４８】
図５および図６に示すように、足入れ毛布１１は裏面が外側に位置するように折り返し部１４にて、折り曲げて使用する。足入れ毛布１１は、折り曲げた状態において、第一毛布１２と第二毛布１３に設けた面ファスナーによって係止し、袋状に形成する。この状態にて第一毛布１２および第二毛布１３の内側に位置する表面はポケットを形成し、使用者２２が足を入れた際に直接触れる面となる。
【００４９】
袋状に形成した足入れ毛布１１は、斜めゴムひも１５と横ゴムひも１６とを用いて敷布団２１に掛止する。使用者２２は足入れ毛布１１の第一毛布１２と第二毛布１３との間に足を入れて、図示しない掛け布団等を普段通りに適宜使用して床に就く。
【００５０】
以下、実施例２による足入れ毛布１１の効果について説明する。
【００５１】
斜めゴムひも１５と横ゴムひも１６とを用いて足入れ毛布１１を敷布団２１に掛止することで、足入れ毛布１１は、左右の位置ずれ、および使用者２２の頭方向への位置ずれが規制される。
【００５２】
また、使用状態において足入れ毛布１１の裏面においては、第一毛布１２と第二毛布１３共に、足先方向である折り返し部１４に向かって立毛の流れが矢印Ｂの一方向になるので、敷布団２１や掛け布団との摩擦により、足先方向への位置ずれに対する抵抗力を有することとなり、相対的に使用者２２の頭方向への位置ずれが恒常的に生じることとなる。これによって、足入れ毛布１１は、足先方向への位置ずれが規制されることとなる。
【００５３】
よって、足入れ毛布１１は前後左右の四方向の位置ずれが規制され、毛布内の暖気が逃げにくくなり、冷たい外気が侵入しにくくなる。
【００５４】
実施例２では、足入れ毛布１１と、敷布団２１や図示しない掛け布団との摩擦を得るために、立毛の流れを裏面にて整えている。しかし実施例１と同様に、マイヤー毛布等に見られるような、毛布の両面にて立毛の流れ方向を任意に整えられるような場合は、裏面のみならず、表面でも立毛の流れ方向を折り返し部１４に向かって整えるとより効果的である。
【００５５】
足入れ毛布１１は、第一毛布１２と第二毛布１３とを縫合して一枚の毛布として形成し、使用に際して適宜、使用者が袋状に形成することで、洗濯等のメインテナンスが容易となるものである。
【００５６】
この実施例２においては、袋状に形成するために面ファスナーを用いているが、ボタンやファスナーあるいはひも等を用いても本考案の効果は得られる。さらに、面ファスナーを用いる代わりに、第一毛布１２の側辺１８と第二毛布１３の側辺１７とを縫合して常に袋形状となすようにしてもよい。この場合は上記のようなメインテナンス性がやや劣る代わりに、足入れ毛布１１としての保温性の向上が期待される。
【００５７】
さらに保温性を向上するためには、第二毛布を合わせ毛布で構成し、その内部にアルミホイルや発泡ウレタンなどの断熱材を設けてもよい。
【産業上の利用可能性】
【００５８】
本考案に係る毛布は、起毛ないし植毛に関わらず、毛の流れを有する毛布において、位置ずれの防止に貢献する。
【００５９】
また、毛布の素材として、アクリル、ポリエステルなどの化学繊維や、綿、シルクなどの天然繊維、ウールその他の獣毛があり、それぞれ摩擦抵抗の大きさは異なるが、毛の流れを有する毛布の製造においては本考案を利用することができる。
【符号の説明】
【００６０】
１・・・掛け毛布  ３・・・ゴムひも  ４・・・表面  ５・・・裏面  ６・・・足先端辺  
７・・・頭部端辺  ８・・・側辺  １０・・・敷布団  
１１・・・足入れ毛布  １２・・・第一毛布  １３・・・第二毛布  １４・・・折り返し部
１３・・・第二毛布  １５・・・斜めゴムひも  １５ａ・・・足先側  １６・・・横ゴムひも
１７・・・側辺  １７ａ・・・側辺ヘム  １８・・・側辺  １８ａ・・・側辺ヘム  ２１・・・敷布団
【図１】
0003155716.tif 000003
【図２】
0003155716.tif 000004
【図３】
0003155716.tif 000005
【図４】
0003155716.tif 000006
【図５】
0003155716.tif 000007
【図６】
0003155716.tif 000008